(57)【要約】【課題】所定の撮影動作の状況を、撮影者に容易に認識させることができるレンズ鏡筒及びカメラシステムを提供する。【解決手段】レンズ鏡筒１は、可動光学系Ｌ２を含む撮影光学系（Ｌ１，Ｌ２，Ｌ３）と、フォーカスレンズ駆動部３と、フォーカス位置検出部４と、レンズＣＰＵ５と、発光部６と、フォーカスプリセット位置設定スイッチ１３と、ゴーホーム起動スイッチ１４、カメラボディ２との間で情報を伝達するための情報伝達信号路１５等とを備えている。発光部６は、撮影光学系（Ｌ１，Ｌ２，Ｌ３）の光路Ｌ付近に配置され、この光路Ｌに向けて発光する発光素子（ＬＥＤ等）である。レンズＣＰＵ５は、所定の撮影動作（フォーカスプリセット位置設定動作、ゴーホーム動作等）が開始又は完了したときに、発光テーブル２０を読み出して、所定の撮影動作に応じた点滅パターン、色等で発光するように、発光部６を制御する。【選択図】        図１
2004294932.tif 000002
【特許請求の範囲】
【請求項１】
撮影光学系と、
前記撮影光学系の光路付近に配置され、前記光路に向けて発光する発光部と、を備えたレンズ鏡筒。
【請求項２】
請求項１に記載のレンズ鏡筒において、
所定の撮影動作を指示するための少なくとも１つの動作指示部をさらに備え、前記発光部は、前記動作指示部により指示された前記撮影動作が開始又は完了したときに、発光を行うこと、を特徴とするレンズ鏡筒。
【請求項３】
請求項２に記載のレンズ鏡筒において、
前記発光部は、前記撮影動作に応じて、発光の点滅パターン及び／又は色を変化させる発光素子であること、を特徴とするレンズ鏡筒。
【請求項４】
請求項１から請求項３までのいずれか１項に記載のレンズ鏡筒において、
カメラボディとの間で情報を伝達する情報伝達手段を備え、
前記発光部は、伝達された情報に応じて、発光すること、を特徴とするレンズ鏡筒。
【請求項５】
請求項４に記載のレンズ鏡筒において、
前記情報は、前記レンズ鏡筒と組合された前記カメラボディとの適合性が不適切であることを示すものであること、を特徴とするレンズ鏡筒。
【請求項６】
請求項２から請求項５までのいずれか１項に記載のレンズ鏡筒において、
前記動作指示部は、撮影者により設定された設定値をメモリに記憶させるための記憶操作部、又は、前記撮影光学系の状態を、前記設定値に基づいて調整するための起動操作部であること、を特徴とするレンズ鏡筒。
【請求項７】
請求項１から請求項６までのいずれか１項に記載のレンズ鏡筒と、
前記レンズ鏡筒と情報伝達可能なカメラボディであって、前記発光部の発光をファインダに伝えるための光学系を有する前記カメラボディと、を備えたカメラシステムにおいて、
前記発光部の発光は、前記光学系を介して、前記ファインダで観察可能であること、を特徴とするカメラシステム。
【請求項８】
請求項７に記載のカメラシステムにおいて、
前記カメラボディは、
被写体との距離を測定する測距部と、
被写体からの反射光量を測定する測光部と、
前記測距部及び前記測光部の少なくとも一方による測定を、前記発光部の発光中に禁止する測定制御部と、を備えたこと、を特徴とするカメラシステム。
【発明の詳細な説明】
【０００１】
【発明の属する技術分野】
本発明は、スチルカメラ、ビデオカメラ等のカメラを用いて撮影を行うときに、カメラの状態を撮影者に認識させるレンズ鏡筒及びカメラシステムに関するものである。
【０００２】
【従来の技術】
一般的に、カメラでは、各種撮影動作を設定及び指示することにより、撮影を行っている。つまり、撮影者は、カメラに設けられた適宜の動作指示部（例えば、スイッチ等）を操作することにより、カメラに所定の撮影動作を実行させる。
このカメラの状態を撮影者に認識させるための手段としては、発音手段、発光手段がある。カメラは、撮影者により指示された所定の撮影動作に関する情報（撮影動作の開始、終了、正常又は異常等）を、発音手段からの音、発光手段からの光によって、撮影者に認識させていた（例えば、特許文献１参照）。
【０００３】
【特許文献１】
特開２００１−１０９０５４号公報
【０００４】
【発明が解決しようとする課題】
しかし、上述したカメラは、あらゆる状況下において、撮影動作を撮影者に認識させることができるとは限らず、以下のような課題があった。
（１）周りが騒がしい状況下（例えば、スタジアムでのスポーツ撮影等）での撮影では、カメラに設けられた発音手段（例えば、ブザー等）による音が、聞き取り難いことがある。
【０００５】
（２）ファインダから目を離さなければ発光を確認できない位置に、発光手段が設けられているカメラでは、ファインダを覗きながらスイッチ等を操作する状況下において、適切な撮影を行うことが困難となる。
【０００６】
（３）ファインダ内に撮影動作に関する新たな表示を行う場合には、表示の種類が増えてしまいファインダ内が煩雑になること、レンズ鏡筒等のアクセサリが備える新たな機能を備えない在来のカメラボディでは対応できない場合があること、さらに、ファインダ内に特別な表示を行う場合に、そのための新たな光学系を設ける必要もあり、コストアップしてしまうこと、等の課題があった。
【０００７】
本発明の課題は、所定の撮影動作の状況を、撮影者に容易に認識させることができるレンズ鏡筒及びカメラシステムを提供することである。
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、撮影光学系（Ｌ１，Ｌ２，Ｌ３）と、前記撮影光学系（Ｌ１，Ｌ２，Ｌ３）の光路（Ｌ）付近に配置され、前記光路（Ｌ）に向けて発光する発光部（６）と、を備えたレンズ鏡筒である。
【０００８】
請求項２の発明は、請求項１に記載のレンズ鏡筒において、所定の撮影動作（２１）を指示するための少なくとも１つの動作指示部（１３，１４）をさらに備え、前記発光部（６）は、前記動作指示部（１３，１４）により指示された前記撮影動作（２１）が開始又は完了したときに、発光を行うこと、を特徴とするレンズ鏡筒である。
【０００９】
請求項３の発明は、請求項２に記載のレンズ鏡筒において、前記発光部（６）は、前記撮影動作（２１）に応じて、発光の点滅パターン（２３）及び／又は色（２２）を変化させる発光素子であること、を特徴とするレンズ鏡筒である。
【００１０】
請求項４の発明は、請求項１から請求項３までのいずれか１項に記載のレンズ鏡筒において、カメラボディ（２）との間で情報を伝達する情報伝達手段（１５）を備え、前記発光部（６）は、伝達された情報に応じて、発光すること、を特徴とするレンズ鏡筒である。
【００１１】
請求項５の発明は、請求項４に記載のレンズ鏡筒において、前記情報は、前記レンズ鏡筒（１）と組合された前記カメラボディ（２）との適合性が不適切であることを示すものであること、を特徴とするレンズ鏡筒である。
【００１２】
請求項６の発明は、請求項２から請求項５までのいずれか１項に記載のレンズ鏡筒において、前記動作指示部（１３，１４）は、撮影者により設定された設定値をメモリに記憶させるための記憶操作部（１３）、又は、前記撮影光学系（Ｌ２）の状態を、前記設定値に基づいて調整するための起動操作部（１４）であること、を特徴とするレンズ鏡筒である。
【００１３】
請求項７の発明は、請求項１から請求項６までのいずれか１項に記載のレンズ鏡筒（１）と、前記レンズ鏡筒（１）と情報伝達可能なカメラボディ（２）であって、前記発光部（６）の発光をファインダ（１０）に伝えるための光学系（８，９）を有する前記カメラボディ（２）と、を備えたカメラシステムにおいて、前記発光部（６）の発光は、前記光学系（８，９）を介して、前記ファインダ（１０）で観察可能であること、を特徴とするカメラシステムである。
【００１４】
請求項８の発明は、請求項７に記載のカメラシステムにおいて、前記カメラボディ（２）は、被写体との距離を測定する測距部（１２）と、被写体からの反射光量を測定する測光部（１１）と、前記測距部（１２）及び前記測光部（１１）の少なくとも一方による測定を、前記発光部（６）の発光中に禁止する測定制御部（７）と、を備えたこと、を特徴とするカメラシステムである。
【００１５】
【発明の実施の形態】
以下、図面等を参照しながら、本発明の実施形態について、更に詳しく説明する。
図１は、本発明によるレンズ鏡筒１及びカメラシステム１００の実施形態を示すブロック図である。
本実施形態によるカメラシステム１００は、レンズ鏡筒１と、レンズ鏡筒１が装着されるカメラボディ２等とを備えている。また、本カメラシステム１００は、レンズ鏡筒１の焦点調節状態のうち、任意の状態をフォーカスプリセット位置として記憶し、事後の所望の時点で、記憶したフォーカスプリセット位置に焦点調節状態を再設定する機能（ゴーホーム機能と称す）を備えている。レンズ鏡筒１は、撮影光学系（Ｌ１，Ｌ２，Ｌ３）と、フォーカスレンズ駆動部３と、フォーカス位置検出部４と、レンズＣＰＵ５と、発光部６と、フォーカスプリセット位置設定スイッチ１３と、ゴーホーム起動スイッチ１４と、カメラボディ２との間で情報（後述）を伝達するための情報伝達信号路１５等とを備えている。
【００１６】
撮影光学系（Ｌ１，Ｌ２，Ｌ３）は、光軸方向に沿って配置されているレンズ群であって、光路Ｌを形成している。また、撮影光学系（Ｌ１，Ｌ２，Ｌ３）のうち撮影光学系Ｌ２は、撮影者等による外部操作によって、所定の撮影動作（焦点調節）を行うためのフォーカスレンズ群を含む可動光学系である。
フォーカスプリセット位置設定スイッチ１３と、ゴーホーム起動スイッチ１４と、フォーカスレンズ駆動部３と、フォーカス位置検出部４と、発光部６とは、レンズＣＰＵ５を介して、互いに電気的に接続されている。
【００１７】
フォーカスレンズ駆動部３は、後述する所定の操作（撮影動作）に応じて、可動光学系Ｌ２を駆動するためのユニットである。フォーカス位置検出部４は、可動光学系Ｌ２の光軸方向の位置を検出する。
フォーカスプリセット位置設定スイッチ１３は、撮影者等の外部操作により設定されたフォーカスプリセット位置を、レンズＣＰＵ５等に設けられた適宜のメモリに記憶させる、いわゆるフォーカスプリセット位置設定動作を指示するための記憶操作部である。
【００１８】
ゴーホーム起動スイッチ１４は、可動光学系Ｌ２の位置を、上述したフォーカスプリセット位置に調整する、いわゆるゴーホーム動作を指示するための起動操作部である。また、フォーカスプリセット位置設定スイッチ１３とゴーホーム起動スイッチ１４は、例えば、撮影者等が外部操作を行うことができるように、レンズ鏡筒１の外筒部に設けられている。
このゴーホーム動作は、ゴーホーム起動スイッチ１４により起動されると共に、フォーカス位置検出部４とフォーカスレンズ駆動部３との連動によって実行される。
【００１９】
発光部６は、例えば、可動光学系Ｌ２を含む撮影光学系（Ｌ１，Ｌ２，Ｌ３）の光路Ｌ付近に配置され、この光路Ｌに向けて発光する発光素子（例えば、ＬＥＤ等）である。発光部６は、レンズＣＰＵ５と電気的に接続されており、所定の撮影動作（例えば、フォーカスプリセット位置設定動作、ゴーホーム動作等）が開始又は完了したときに、発光する。また、発光部６は、撮影動作の違いに応じて、発光の点滅パターン、色等を変化させる。
【００２０】
図２は、発光テーブルを示す説明図である。
発光テーブル２０は、レンズＣＰＵ５が発光部６の発光を制御するために用いるテーブルであって、レンズ鏡筒１内の適宜のメモリ（不図示）に記憶されている。発光テーブル２０には、撮影動作の種別２１と、この撮影動作の種別２１に応じた色２２と、点滅パターン２３とが記憶されている。
【００２１】
カメラボディ２は、測光部１１と、測距部１２と、カメラボディＣＰＵ７と、クイックリターンミラー８と、ペンタプリズム９と、ファインダ１０等とを備えている。カメラボディＣＰＵ７には、測光部１１と、測距部１２とが接続され、情報伝達信号路１５を介してレンズＣＰＵ５と接続されている。また、クイックリターンミラー８とペンタプリズム９とは、光路Ｌに向けられた発光部６の発光を、ファインダ１０に伝えるための光学系を形成している。このため、カメラシステム１００では、光路Ｌに向けられた発光部６の発光は、上述した光学系を介して、ファインダ１０で観察可能となる。
【００２２】
測光部１１は、被写体からの反射光量を測定する測定部である。測距部１２は、被写体との距離を測定する測定部である。カメラボディＣＰＵ７は、例えば、測光部１１及び測距部１２の少なくとも一方による測定を、発光部６の発光中に禁止する。
【００２３】
つぎに、本実施形態によるレンズ鏡筒１及びカメラシステム１００の動作について説明する。
（フォーカスプリセット位置設定動作を行う場合について）
フォーカスプリセット位置設定スイッチ１３が撮影者等によって操作されると、フォーカス位置検出部４は、現在の可動光学系Ｌ２の位置を検出すると共に、その位置情報をフォーカスプリセット位置として、例えば、レンズＣＰＵ５等に設けられた適宜のメモリに記憶させる。
このフォーカスプリセット位置がメモリに記憶されたとき（フォーカスプリセット位置設定動作の完了時）には、フォーカスプリセット位置設定動作が完了したことを撮影者等に認識させるために、レンズＣＰＵ５は、発光部６を制御する。
【００２４】
レンズＣＰＵ５は、フォーカスプリセット位置設定スイッチ１３が操作されると、所定の撮影動作がフォーカスプリセット位置設定動作であることを判定すると共に、上述した発光テーブル２０を読み出し、該当する色２２（ここでは、黄色）、点滅パターン２３（ここでは、１回）で発光するように発光部６を制御する。
この発光部６の発光は、発光テーブル２０に記録されている色２２及び／又は点滅パターン２３を有し、撮影光学系（Ｌ１，Ｌ２，Ｌ３）の光路Ｌを照らすと共に、クイックリターンミラー８、ペンタプリズム９から成る光学系を介して、ファインダ１０内に伝えられる。これにより、撮影者は、ファインダ１０を覗いたまま、フォーカスプリセット位置設定動作の完了を容易に認識できる。
【００２５】
レンズＣＰＵ５は、フォーカスプリセット位置設定スイッチ１３が撮影者等によって操作されたときに出力される信号を受信したときに、発光部６を上述したように制御することもできる。これにより、撮影者は、ファインダ１０を覗いたまま、フォーカスプリセット位置設定動作の開始を認識できる。
【００２６】
レンズＣＰＵ５は、情報伝達信号路１５を介して、フォーカスプリセット位置設定動作中であることをカメラボディＣＰＵ７に伝達する。カメラボディＣＰＵ７は、フォーカスプリセット位置設定動作中、測光部１１及び測距部１２の少なくとも一方による測定を禁止する。これにより、フォーカスプリセット位置設定動作中、発光部６の発光が光路Ｌを照らしていても、測光値、測距値に影響を与えることはない。なお、この測定の禁止は、発光部６の発光中のみとしてもよい。
【００２７】
（ゴーホーム動作を行う場合について）
ゴーホーム起動スイッチ１４が撮影者等によって操作されると、レンズＣＰＵ５は、フォーカスレンズ駆動部３を制御して、可動光学系Ｌ２の位置をフォーカスプリセット位置に調整する。レンズＣＰＵ５は、可動光学系Ｌ２の位置がフォーカスプリセット位置に調整された（すなわち、ゴーホーム動作が完了した）ことを、フォーカスレンズ駆動部３からの動作完了信号もしくはフォーカス位置検出部４の検出信号により判定する。レンズＣＰＵ５は、このゴーホーム動作が完了したことを撮影者等に認識させるために、発光部６を制御する。
【００２８】
レンズＣＰＵ５は、フォーカス位置検出部４からの情報により、所定の撮影動作がゴーホーム動作であることを判定すると共に、上述した発光テーブル２０を読み出し、該当する色２２（ここでは、青色）、点滅パターン２３（ここでは、２回）で発光するように発光部６を制御する。
この発光部６の発光は、発光テーブル２０に記録されている色２２及び／又は点滅パターン２３を有し、撮影光学系（Ｌ１，Ｌ２，Ｌ３）の光路Ｌを照らすと共に、クイックリターンミラー８、ペンタプリズム９から成る光学系を介して、ファインダ１０内に伝えられる。これにより、撮影者は、ファインダ１０を覗いたまま、ゴーホーム動作の完了を容易に認識できる。
【００２９】
レンズＣＰＵ５は、ゴーホーム起動スイッチ１４が撮影者等によって操作されたときに出力される信号を受信したときに、発光部６を上述したように制御することもできる。これにより、撮影者は、ファインダ１０を覗いたまま、ゴーホーム動作の開始を認識できる。
【００３０】
レンズＣＰＵ５は、情報伝達信号路１５を介して、ゴーホーム動作中であることをカメラボディＣＰＵ７に伝達する。カメラボディＣＰＵ７は、ゴーホーム動作中、測光部１１及び測距部１２の少なくとも一方による測定を禁止する。これにより、ゴーホーム動作中、発光部６の発光が光路Ｌを照らしていても、測光値、測距値に影響を与えることはない。なお、この測定の禁止は、発光部６の発光中のみとしてもよい。
【００３１】
（不適切なカメラボディ２がレンズ鏡筒１に取付けられた場合について）
撮影者等によりレンズ鏡筒１に不適切なカメラボディ２が取付けられた場合に、レンズＣＰＵ５は、情報伝達信号路１５を介してカメラボディＣＰＵ７との規定の通信が成立しないことを確認することにより、レンズ鏡筒１とカメラボディ２との適合性が不適切であることを判定する。
ここで、レンズ鏡筒１とカメラボディ２との適合性が不適切であるとは、レンズ鏡筒１を装着するカメラボディ２によって、レンズ鏡筒１の機能に不具合（例えば、超音波モータが駆動しない、ブレ補正が機能しない、ある絞り値では使用できない等）が生じる可能性があることをいう。
【００３２】
レンズＣＰＵ５は、レンズ鏡筒１とカメラボディ２との適合性が不適切であることを判定すると、上述した発光テーブル２０を読み出し、該当する色２２（ここでは、赤色）、点滅パターン２３（ここでは、３回）で発光するように発光部６を制御する。
発光部６の発光は、発光テーブル２０に記録されている色２２及び／又は点滅パターン２３を有し、撮影光学系（Ｌ１，Ｌ２，Ｌ３）の光路Ｌを照らすと共に、クイックリターンミラー８、ペンタプリズム９から成る光学系を介して、ファインダ１０に伝えられる。
これにより、レンズ鏡筒１は、装着されたカメラボディ２によって、レンズ鏡筒１の機能に不具合が生じる可能性があることを、ファインダ１０を覗いている撮影者に認識させることができる。
【００３３】
本実施形態によれば、（１）光路Ｌに向けられた発光部６の発光は、カメラボディ２のファインダ１０内で観察可能であるので、周りが騒がしい状況下での撮影であっても、所定の撮影動作の開始又は完了等を撮影者等に容易に認識させることができる。
（２）レンズ鏡筒１内に発光部６を設けたので、カメラボディ２に新たな機構を追加する必要がないので、既存のカメラボディであっても対応できる。
（３）レンズ鏡筒１のレンズＣＰＵ５が、カメラボディ２との適合性を判定するので、不適切な既存のカメラボディを誤って取付けてしまうことを防止できる。
（４）発光部６の発光は、撮影動作の種別に応じて、色２２及び／又は点滅パターン２３を変化させるので、ファインダ１０で観察可能であれば、特別な表示を行う必要がない。このため、レンズ鏡筒１に別の光学系を設けることによるコストアップや、ファインダ１０の表示が煩雑になってしまうこと等を防止することができる。
（５）カメラボディ２のカメラボディＣＰＵ７は、発光部６による発光が行われている間、測光部１１及び測距部１２の少なくとも一方による測定を停止（禁止）するので、発光による測光値及び測距値の誤差を防止できる。
【００３４】
（変形形態）
以上説明した実施形態に限定されることなく、種々の変形や変更が可能であって、それらも本発明の均等の範囲である。
（１）ファインダ１０で観察可能な発光部６の発光は、フォーカスプリセット位置設定動作、ゴーホーム動作、レンズ鏡筒１とカメラボディ２との適合性、に対して行われていたが、これに限られず、適宜の撮影動作（例えば、ブレ補正動作、ミラー駆動動作、フィルム給送動作、シャッタ動作）にも適用できる。具体的には、発光テーブル２０に対して、これらの撮影動作に応じた色２２、点滅パターン２３を、設定すればよい。
【００３５】
（２）所定の撮影動作を指示する操作部としては、フォーカスプリセット位置設定スイッチ、ゴーホーム起動スイッチを用いたが、レンズ鏡筒１に設けられ、操作可能なスイッチであれば、適宜のスイッチ（例えば、ＡＦロック、ブレ補正等のＯＮ／ＯＦＦ切換スイッチ）を用いてもよい。この場合、レンズＣＰＵ５は、各種スイッチにより指示された撮影動作に対応した発光を行うように、発光部６を制御すればよい。
【００３６】
【発明の効果】
以上詳しく説明したように、（１）撮影光学系の光路に向けて発光する発光部を、光路付近に配置したので、色、発光形態等を変化させることによって、例えば、撮影動作に関する表示を行うことができる。
【００３７】
（２）発光部は、所定の撮影動作を指示するための少なくとも１つの動作指示部により指示された撮影動作が開始又は完了したときに発光を行うようにしたので、色、発光形態等の変化と所定の撮影動作の状態とが互いに関連性を有することによって、例えば、撮影動作の開始又は完了を撮影者に認識させることができる。
【００３８】
（３）発光部は、撮影動作に応じて発光の点滅パターン及び／又は色を変化させる発光素子であるので、発光部の発光は、各種撮影動作に対応できる。
【００３９】
（４）発光部は、カメラボディとの間で情報を伝達する情報伝達手段により伝達された情報に応じて発光するので、カメラボディと関連付けた撮影動作が開始又は完了したときに、撮影光学系の光路に向けて発光することができる。また、カメラボディに新たな機能の追加する必要はないので、コストアップを防止できる。
【００４０】
（５）レンズ鏡筒は、カメラボディとの間で、レンズ鏡筒を装着したカメラボディの適合性が不適切であることを示す情報を伝達するようにしたので、レンズ鏡筒と対応していないカメラボディがレンズ鏡筒に取付けられてしまうことを防止できる。
【００４１】
（６）動作指示部は、撮影者により設定された設定値をメモリに記憶させるための記憶操作部、又は、撮影光学系の状態を、設定値に基づいて調整するための起動操作部であり、フォーカスプリセット位置設定動作、又は、ゴーホーム動作が開始又は完了したときに、撮影光学系の光路に向けて発光部が発光するので、フォーカスプリセット位置設定動作、又は、ゴーホーム動作の開始又は完了を、撮影者に認識させることができる。
【００４２】
（７）カメラシステムは、レンズ鏡筒と、レンズ鏡筒と情報伝達可能なカメラボディであって、発光部の発光をファインダに伝えるための光学系を有するカメラボディと、を備え、発光部の発光は、光学系を介してファインダで観察可能であるので、周りが騒がしい状況下であってもファインダを覗いた状態の撮影者に所定の撮影動作の開始又は動作完了、レンズ鏡筒とカメラボディとの適合性等を容易に認識させることができる。また、発光部の発光は、ファインダで観察可能であればいいので、特別な表示を行う必要がなく、ファインダ内の表示が煩雑になってしまうことを防止できる。
【００４３】
（８）カメラボディは、被写体との距離を測定する測距部と、被写体からの反射光量を測定する測光部と、測距部及び測光部の少なくとも一方による測定を発光部の発光中に禁止する測定制御部と、を備えたので、発光部の発光による測光値及び／又は測距値の誤差を防止できる。
【図面の簡単な説明】
【図１】本発明によるレンズ鏡筒１及びカメラシステム１００の実施形態を示すブロック図である。
【図２】発光テーブルを示す説明図である。
【符号の説明】
１  レンズ鏡筒
２  カメラボディ
３  フォーカスレンズ駆動部
４  フォーカス位置検出部
５  レンズＣＰＵ
６  発光部
７  カメラボディＣＰＵ
８  クイックリターンミラー
９  ペンタプリズム
１０  ファインダ
１１  測光部
１２  測距部
１３  フォーカスプリセット位置設定スイッチ
１４  ゴーホーム起動スイッチ
１５  情報伝達信号路
１００  カメラシステム
Ｌ  光路
Ｌ１，Ｌ２，Ｌ３  撮影光学系
【図１】
2004294932.tif 000003
【図２】
2004294932.tif 000004